(57)【特許請求の範囲】
【請求項１】
正面に配置した開口部である波導入口から上面、両側面、底面が開口中心を通る水平線上の奥方向に向かって急激に狭くなる漏斗状の構造で前記底面が奥方向に向かって高くなるように傾斜するとともに、前記波導入口において、底面のみにその前端縁に沿って波導入板が設けられ、前記波導入板が前記底面の傾斜よりも急傾斜の角度で斜め下前方に向けて連設されている波導入箱と、前記波導入箱における奥端に上向きに連結した先端にノズル状の圧縮空気噴出口を有する圧縮空気通気管と、前記圧縮空気噴出口に距離をおいて配置された羽根を有する羽根風車と、前記羽根風車の回転力で回転して発電する発電機とからなる波力発電機構であって、洋上の波を前記波導入口から導入可能に前記波導入箱を洋上に設置し、前記波導入箱内に導入される洋上の押し寄せる波が、前記急傾斜の波導入板を介して前記波導入口より深い下方から前記波導入板よりも緩傾斜である前記波導入箱の底面の傾斜に導入されることによって恰も自然界海岸の浜辺において打ち寄せる波のように段波を形成、波打ちが発生し、高速高圧の流れとなって前記波導入箱内で蓋をするように奥端へ押し寄せ、さらに前記波が前記奥端に押し寄せる度に前記波導入箱内の空気を圧縮して押し込むことで圧縮空気が前記圧縮空気通気管に吹き込み、圧縮空気噴出口から噴出して羽根風車を一定方向に回し続けて発電することを特徴とする波力発電機構。
【請求項２】
前記波導入箱の両側に浮きを取り付けるとともに、前記波導入箱を洋上の所定位置に保持する保持手段に上下移動可能に取り付けられることで、潮位に応じて前記波導入箱が上下動することを特徴とする請求項１記載の波力発電機構。
【請求項３】
前記先端に圧縮空気噴出口を備えた圧縮空気通気管を連結した波導入箱を幅方向に複数配置して、幅方向に並列する複数の圧縮空気通気管の圧縮空気噴出口から噴射する圧縮空気を、回転軸から外方に向けて放射状に延びる複数の羽根を回転軸の周囲に有するドラム式羽根風車であって前記回転軸を前記波導入箱の幅方向に向けて配置されている一つの羽根風車の羽根に噴出させて、波の大小、潮位に左右されることなく押し寄せる波が存在する限り、常時、前記羽根風車を一定方向に回転させて常時発電することを特徴とする請求項１または２記載の波力発電機構。
【請求項４】
前記先端に圧縮空気噴出口を備えた圧縮空気通気管を連結した波導入箱の位置を高さ方向に固定して複数配置し、波が導入される波導入箱が潮位、波の高さに応じて変化することを特徴とする請求項１記載の波力発電機構。
【請求項５】
前記高さ方向に複数配置した前記波導入箱において上方に配置された波導入箱の波導入口が、前記上方に設置された波導入箱の波導入口より下方に配置された波導入箱の波導入口よりも奥方向に位置し、且つ前記上側に位置する波導入箱の前記波導入板の下端がその下側に位置する波導入箱の上面の開口端に連接して配置されていることを特徴とする請求項４記載の波力発電機構。
【請求項６】
前記高さ方向に複数配置した前記波導入箱の奥行方向に並列する複数の圧縮空気通気管の圧縮空気噴出口から噴射する圧縮空気を、回転軸から外方に向けて放射状に延びる複数の羽根を回転軸の周囲に有するドラム式羽根風車であって前記回転軸を前記波導入箱の幅方向に向けて配置されている一つの羽根風車の羽根に噴出させて、波の大小、潮位に左右されることなく押し寄せる波が存在する限り、常時、前記羽根風車を一定方向に回転させて常時発電することを特徴とする請求項４または５記載の波力発電機構。
【発明の詳細な説明】
【技術分野】
【０００１】
本発明は、洋上に設置して押し寄せる波の力により圧縮空気を発生させ、この圧縮空気の噴射で羽根風車を回転させることにより発電機を駆動させて発電する波力発電機構に関するものである。
【背景技術】
【０００２】
世界中で今やエネルギー問題は不足・枯渇の懸念のみならず、極限の危険と背中合わせの重大な局面に立たされていることが現実である。原子力に頼るだけでなく、自然の力をありのまま有効に利用できる方策を考案して、全域で安全エネルギー社会を実現すべきであると思われるが、まだまだ、自然の理想的利用が十分行われていないのが実情である。
【０００３】
従来、多様な自然活用を含め、風力、潮流、波動、地熱、水力、火力、太陽光、原子力など多方面のエネルギーの源から電力供給につなげる技術力は驚異的な発展進歩がみられるも、反面その裏に付加されたデメリットが大きな問題となり、自然現象利用は大きく遅れているのも事実であるところ、これからは海洋有効利用が大切であると考える。
【発明の概要】
【発明が解決しようとする課題】
【０００４】
本発明は、従来の諸々の発電機構のような複雑・高価・不安定などの問題点も少なく、自然界の波の力を簡素かつ有効に利用して持続安定発電を可能とする波力発電機構を提供することを課題とするものである。
【課題を解決するための手段】
【０００５】
以上の課題を解決するためになされた本発明は、正面に配置した開口部である波導入口から上面、両側面、底面が開口中心を通る水平線上の奥方向に向かって急激に狭くなる漏斗状の構造で前記底面が奥方向に向かって高くなるように傾斜するとともに、前記波導入口において、底面のみにその前端縁に沿って波導入板が設けられ、前記波導入板が前記底面の傾斜よりも急傾斜の角度で斜め下前方に向けて連設されている波導入箱と、前記波導入箱における奥端に上向きに連結した先端にノズル状の圧縮空気噴出口を有する圧縮空気通気管と、前記圧縮空気噴出口に距離をおいて配置された羽根を有する羽根風車と、前記羽根風車の回転力で回転して発電する発電機とからなる波力発電機構であって、洋上の波を前記波導入口から導入可能に前記波導入箱を洋上に設置し、前記波導入箱内に導入される洋上の押し寄せる波が、前記急傾斜の波導入板を介して前記波導入口より深い下方から前記波導入板よりも緩傾斜である前記波導入箱の底面の傾斜に導入されることによって恰も自然界海岸の浜辺において打ち寄せる波のように段波を形成、波打ちが発生し、高速高圧の流れとなって前記波導入箱内で蓋をするように奥端へ押し寄せ、さらに前記波が前記奥端に押し寄せる度に前記波導入箱内の空気を圧縮して押し込むことで圧縮空気が前記圧縮空気通気管に吹き込み、圧縮空気噴出口から噴出して羽根風車を一定方向に回し続けて発電することを特徴とする。
【０００６】
本発明は、洋上において繰り返し押し寄せる波そのものを利用して恰も自然界海岸の浜辺において打ち寄せる波のように段波を形成し、高速高圧の波により圧縮空気を発生させ、その噴射で発電する仕組みのため、洋上へ単独設置も、あらゆる既設の洋上の構造物に併用、後付も可能であり規模、数量、環境地域に応じて産業上多方面での利用活用ができ貢献度大であり、従来の諸々の発電装置のような複雑・高価・不安定などの問題点も少なく、ごく自然界の波の力を、最も簡素で最有効に利用して、持続安定発電を可能にする画期的発電方法である。
【０００７】
また、本発明において、前記波導入箱における波導入口の底面側端縁に沿って波導入板が斜め下前方に向けて連接されている場合には洋上の波を前記波導入板を介して前記波導入箱に効率よく導入することができる。
【０００８】
加えて、本発明において、前記波導入箱の両側に浮きを取り付けるとともに、前記波導入箱を洋上の所定位置に保持する保持手段に上下移動可能に取り付けられることで、潮位に応じて前記波導入箱が上下動する場合には潮位に応じて前記波導入箱を上下動させて波を受ける位置に高さを変化させるので洋上へ単独設置し単独での発電を可能にする装置として利用することができるのみならず、並列配置することで効率よく安定発電が可能である。
【０００９】
また、本発明において、前記先端に圧縮空気噴出口を備えた圧縮空気通気管を連結した波導入箱を、高さ方向に複数配置して洋上に設置することにより波の大小、潮位に左右されることなく押し寄せる波が存在する限り、常時いずれかの波導入箱が波を受ける海域に設置することでいずれかの圧縮空気噴出口から圧縮空気が噴出して複数の羽根風車が回転し続けることで常時発電することができ、前記高さ方向に複数配置した前記波導入箱において上方に配置された波導入箱の波導入口が前記上方に設置された波導入箱の波導入口より下方に配置された波導入箱の波導入口よりも奥方向に位置し、且つ前記上側に位置する波導入箱の前記波導入板の下端がその下側に位置する波導入箱の上面の開口端に連接して配置されている場合には洋上の波が抵抗なく各導入箱に導入される。
【００１０】
更に、本発明において、前記先端に圧縮空気噴出口を備えた圧縮空気通気管を連結した波導入箱を、幅方向に複数配置するとともに幅方向に互いに隣接して配置された前記波導入箱と高さ方向において段違いに配置される場合には洋上の潮位に自然に対処することができる。
【００１１】
更にまた、本発明において、幅方向または高さ方向に並べた前記先端に圧縮空気噴出口を備えた圧縮空気通気管を連結した波導入箱の幅方向または奥行方向に並列する複数の圧縮空気通気管の圧縮空気噴出口から噴射する圧縮空気を、回転軸から外方に向けて放射状に延びる複数の羽根を回転軸の周囲に有するドラム式羽根風車であって、前記回転軸を前記波導入箱の幅方向に向けて配置されている一つの羽根風車の羽根に噴出させる場合には、いずれかの波導入箱からの圧縮空気により羽根風車を一定方向に回転し続けて常時発電することができる。
【発明の効果】
【００１２】
本発明によれば、従来の諸々の発電機構のような複雑・高価・不安定などの問題点も少なく、自然界の波の力を簡素かつ有効に利用して持続安定発電を可能とする波力発電機構を提供することができる。
【図面の簡単な説明】
【００１３】
【図１】本発明に用いられる先端に圧縮空気噴出口を有する圧縮空気通気管を連結した波導入箱の好ましい実施の形態を示すものであり、（ａ）は斜視図、（ｂ）は平面図、（ｃ）は側面図。
【図２】図１に示した実施の形態に係る波導入箱を用いた本発明の好ましい実施の形態についての作用を示す断面図。
【図３】図１に示す実施の形態に係る波導入箱に連結した圧縮空気通気管から送られる圧縮空気噴出口、羽根風車、発電機配置実施例図。
【図４】図１に示す実施の形態に係る波導入箱に押し寄せる波が、波導入箱内で蓋をするように空気を奥方向に押し込み、奥端に設けた圧縮空気通気管へ圧縮空気を吹き込み、引き波で海水が海側に戻り、押し寄せる波がこれを繰り返すメカニズム縦断面図。
【図５】図１に示す実施の形態に係る両側に浮きを利用した波導入箱が干満潮位同調して上下動できる説明図。
【図６】図１に示す実施の形態に係る圧縮空気噴出口、羽根風車、発電機設置の方法図。
【図７】本発明の異なる実施の形態に係る圧縮空気噴出口を備えた圧縮空気通気管を上向きに連結した波導入箱を高さ方向に複数配置した状態および発電有効な海水位配列を示す縦断面図。
【図８】図７に示した実施の形態の正面部分の拡大斜視部分図。
【図９】図７に示した実施の形態の正面拡大部分図。
【発明を実施するための形態】
【００１４】
以下、本発明の実施の形態を図面に基づいて説明する。
【００１５】
図１は本発明に用いられる波導入箱２を示すものであり、正面に配置した開口部である波導入口２１、上面２２、両側面２３，２４、底面２５を有し、底面２５が設置する例えば自然海岸の波打ち際の傾斜と合致した奥上がりに傾斜するとともに開口部である波導入口２１を広い間口とし、かつ波導入口２１の中心を通る水平線ＢＬを中心軸として奥に向かって急激に狭くなる全体漏斗状の構造を有し、前記波導入箱２の奥端に圧縮された空気が通る圧縮空気通気管３が上向きに且つ気密に連結されている。
【００１６】
図２および図３は、前記図１に示した波導入箱２を用いた本発明である波力発電機構１のメカニズムを示すものであり、洋上に配置した波導入箱２の波導入口２１の底面２５側端縁に沿って波導入板２６が斜め下前方に向けて連接されていることで波導入板２６を介して打ち寄せる波７を効率よく波導入口２１から波導入箱２内へ導入し、前記圧縮空気通気管３の先端に設けたノズル状の圧縮空気噴出口３１から先方の少し離れた所定位置に配置した羽根風車４に向かって圧縮空気を噴出させて羽根風車４を回転させて前記羽根風車４に連結した発電機５を回転、駆動して発電を行うものである。
【００１７】
また、本実施の形態は、図４（ａ）に示すように、波導入箱２の正面に形成した波導入口２１へ押し寄せる波７が、図４（ｂ）に示すように、底面２５の傾斜によって恰も自然界海岸の浜辺において打ち寄せる波のように段波を形成し、波導入箱２の狭くなっている部分で、高速高圧の波８となって波導入箱２内で蓋をするように奥の方へ空気を押し込み奥端に連結された上向き圧縮空気通気管３へ圧縮空気を吹き込み、その後、図４（ｃ）に示すように、引き波９が自然に図４（ｄ）に示すように海の方１０へ戻り、更に、図４（ｅ）に示すように前記図４（ａ）からの動作を波がある限り繰り返して、圧縮空気を送り続ける構造になっている。
【００１８】
図５は本発明の好ましい実施の形態の波導入箱２を洋上に設置した状態を示すものであり、波力発電機構１の波導入箱２の両側（両側面２３，２４側）に浮き１８，１８を取り付けるとともに保持手段として備えた位置固定用の固定柱１６および上下移動可能な上下動ガイドレール１７を用いて、固定柱１６に沿って配置する上下動ガイドレール１７を介して固定柱１６と波導入箱２または浮き１８を接続することで、波導入箱２が流されてしまうことの無いように洋上の所定位置に保持するとともに浮き１８，１８によって波導入箱２を潮位に応じて自動的に上下動させるものであり、この場合には波導入箱２の海面に対する高さ位置が潮位に合わせて最適位置に移動するので高さ方向には１つの波導入箱を配置すればよい。
【００１９】
本実施の形態によれば、洋上へ単独設置し単独での発電を可能にする装置として利用することができるのみならず、並列配置することで効率よく安定発電が可能であり、規模、数量、環境地域に応じて産業上多方面での利用活用ができ貢献度大である。
【００２０】
図６は、圧縮空気通気管３の先端に設けたノズル状の圧縮空気噴出口３１から先方の少し離れた所定位置に配置した羽根風車４の羽根４１に向かって圧縮空気を噴出させて羽根風車４を回転させて前記羽根風車４に連結した発電機５を回転、駆動して発電を行う部分を更に詳しく示したものである。
【００２１】
この図６に示すように複数の圧縮空気通気管３の圧縮空気噴出口３１から噴出する圧縮空気が１つの羽根風車４に供給されることで、常時、前記羽根風車４を一定方向に回転させて前記羽根風車４に連結した発電機５により常時発電することができる。
【００２２】
図７は本発明の異なる実施の形態を示すもので、前記先端に圧縮空気噴出口３１を備えた圧縮空気通気管３を上向きに連結した波導入箱２を高さ方向および幅方向に連続して複数個（本実施の形態では３個）が海水潮位の上限１３から、下限１４までの間に波導入口２１が配置されるように設置されているので、例えば潮位が高い時は上限１３に近い側の波導入箱２の波導入口２１から波を導入し、反対に潮位が低い時は下限１４に近い側の波導入箱２の波導入口２１から波を導入するように潮位の変動に対応して動作するため、潮位の変化に拘わらず上下に配置した少なくとも１つの波導入箱２内に波を導入して圧縮空気による発電を可能としたものである。
【００２３】
本実施の形態では、前記先端に圧縮空気噴出口３１を備えた圧縮空気通気管３を上向きに連結した波導入箱２を、高さ方向に複数配置して波打ち際、洋上に設置することにより波の大小、潮位に左右されることなく押し寄せる波が存在する限り、高さ方向に複数配置した少なくとも１つの波導入箱２から圧縮空気が羽根風車４に供給されるので、常時、前記羽根風車４を一定方向に回転させて前記羽根風車４に連結した発電機５により常時発電することができる。
【００２４】
また、前記先端に圧縮空気噴出口３１を備えた圧縮空気通気管３を上向きに連結した波導入箱２を、幅方向に複数配置して波打ち際、洋上に設置することにより、幅方向に複数配置した波導入箱２から圧縮空気が羽根風車４に供給されるので、多数の前記羽根風車４を一定方向に強力に回転させて、前記羽根風車４に連結した発電機５により発電することができる。
【００２５】
更に、前記先端に圧縮空気噴出口３１を備えた圧縮空気通気管３を上向きに連結した波導入箱２を、高さ方向に複数配置して奥行方向または幅方向に並列する複数の圧縮空気通気管３・・・３の圧縮空気噴出口３１・・・３１から噴射する圧縮空気を一つの羽根風車の羽根に噴出させることにより、常時少なくとも１つの波導入箱２が波を受ける海域に設置することで少なくとも１つの圧縮空気噴出口３１・・・３１から圧縮空気が噴出して羽根風車４が回転し続ける。
【００２６】
図８に示すように、前記高さ方向に複数配置された先端に圧縮空気噴出口３１を備えた圧縮空気通気管３を上向きに連結した波導入箱２において、上方に配置された波導入箱２の波導入口２１を前記上方に配置された波導入箱２の波導入口２１より下方に配置された波導入箱２の波導入口２１よりも奥方向（圧縮空気通気管３方向）に位置して配置する場合、特に好ましい。
【００２７】
図９に示すように、前記高さ方向に複数配置された先端に圧縮空気噴出口３１を備えた圧縮空気通気管３を上向きに連結した波導入箱２が、幅方向に互いに隣接して配置された前記高さ方向に複数配置された先端に圧縮空気噴出口３１を備えた圧縮空気通気管３を上向きに連結した波導入箱２と、高さ方向において段違いに配置されている場合、特に好ましい。
【００２８】
なお、本実施の形態において波導入箱２を高さ方向および幅方向に複数配置する際は、例えば保持手段として備えた固定柱に固定する方法その他の固定方法により配置することができる。
【００２９】
このように、海水潮位の上限１３から下限１４までの間に波導入箱２、圧縮空気通気管３、圧縮空気噴出口３１、羽根風車４、発電機５を既存の洋上や岸壁沿岸の建造物、また、新設の建造構造物にも併設活用することで、発電という新しい能力が付加されるので産業に限らず、多方面での利用価値が見込まれる。
【００３０】
以上のように、本発明によれば圧縮空気通気管３の羽根風車４までの距離、圧縮空気通気管３内の泡、塩害防止、異物・浮遊物等に留意することで環境アセスメントもメンテナンスも、従来の発電機能に比べて最も簡素で安価でかつ安全である。
【符号の説明】
【００３１】
１  波力発電機構、２  波導入箱、２１  波導入口、２２  底面、２３，２４  側面、２５  上面、２６  波導入板、３  圧縮空気通気管、３１  圧縮空気噴出口、４  羽根風車、４１  羽根、５  発電機、６  構造物、７  波導入箱入り口で押し寄せる波、８  波導入箱内で圧縮空気を奥の方へ押し込み圧縮空気通気管へ空気を吹き込む高速高圧の波、９  波導入箱内を自然に引き波で海側へ戻る波、１０  波導入口に到達した次の波、１１  繰り返し寄せる波、１３  海水潮位の上限、１４  海水潮位の下限、１５  発電に有効な潮位水位幅、１６  固定柱、１７  上下動ガイドレール、１８  海水面の干満変動に同調して波導入箱が自動的に上下動するための浮き
【図１】
0006373330.tif 000002
【図２】
0006373330.tif 000003
【図３】
0006373330.tif 000004
【図４】
0006373330.tif 000005
【図５】
0006373330.tif 000006
【図６】
0006373330.tif 000007
【図７】
0006373330.tif 000008
【図８】
0006373330.tif 000009
【図９】
0006373330.tif 000010